(57)【要約】【課題】筐体内の狭いスペースでも熱源ユニット及びタンクユニットを配置すると共に、良好なメンテナンス性も確保する。【解決手段】食器洗浄機用ブースター１は、食器洗浄機で使用される本体側装置が収容される筐体２内に配置され、熱源ユニット３と、熱源ユニット３で加熱される湯水を貯留可能なタンクユニット４と、循環ポンプを備えて熱源ユニット３とタンクユニット４との間で湯水を循環させる循環路と、を含んでなり、熱源ユニット３は、筐体２内の前側で右側寄りに配置され、タンクユニット４は、平面視で一方の厚みが他方の厚みよりも小さい扁平な箱状に形成されて、熱源ユニット３の後側で筐体２の右側の側面に長手方向が沿う起立状態で配置されている。【選択図】図４
2019141254.tif 000002
【特許請求の範囲】
【請求項１】
食器洗浄機で使用される本体側装置が収容される筐体内に配置され、
バーナ及び熱交換器を備えた熱源ユニットと、前記熱源ユニットで加熱される湯水を貯留可能なタンクユニットと、循環ポンプを備えて前記熱源ユニットと前記タンクユニットとの間で湯水を循環させる循環路と、を含んでなる食器洗浄機用ブースターであって、
前記熱源ユニットは、前記筐体内の前側で左右何れか一方側寄りに配置され、
前記タンクユニットは、平面視で一方の厚みが他方の厚みよりも小さい扁平な箱状に形成されて、前記熱源ユニットの後側で前記筐体の前記一方側の側面に長手方向が沿う起立状態で配置されていることを特徴とする食器洗浄機用ブースター。
【請求項２】
前記タンクユニットの後部には、前記筐体内での設置位置で前記筐体内に設けた被係止部に係止する係止板が設けられていることを特徴とする請求項１に記載の食器洗浄機用ブースター。
【発明の詳細な説明】
【技術分野】
【０００１】
本発明は、業務用の食器洗浄システムにおいて、食器洗浄機に高温の湯を供給するために設置される食器洗浄機用ブースターに関する。
【背景技術】
【０００２】
業務用の食器洗浄システムは、例えば特許文献１に開示されるように、洗浄室に搬入された食器を洗浄する食器洗浄機と、食器洗浄機に並設されて食器洗浄機に濯ぎ用の湯を供給するための食器洗浄機用ブースターとを備えたものが知られている。食器洗浄機用ブースターは、例えば特許文献２に開示されるように、バーナ及び熱交換器を備えて供給された水をバーナの燃焼排気によって加熱する瞬間加熱式の熱源ユニットと、熱源ユニットで加熱された湯を貯湯するタンクとを備えて、タンク内の湯を出湯管を介して食器洗浄機へ供給可能となっている。また、熱源ユニットとタンクとの間に、循環ポンプを備えて湯水を循環させる循環路を形成したものも知られている。
【先行技術文献】
【特許文献】
【０００３】
【特許文献１】特開２００６−２３９０２４号公報
【特許文献２】特開２００１−２９９６６２号公報
【発明の概要】
【発明が解決しようとする課題】
【０００４】
食器洗浄機用ブースターは、食器洗浄機側からの要求に即座に対応するため、バーナ及び熱交換器を備えた瞬間加熱式の熱源ユニットが使用される。この熱源ユニットやタンクユニットは、洗浄室に洗浄水を供給するための食洗機側タンクや食洗機側ポンプ等の本体側装置を収容する筐体に収容される場合がある。しかし、熱源ユニットは比較的大きなスペースを必要とするため、タンクユニットと共に筐体内に組み込むのが難しく、組み込んだとしても筐体内の設置位置によってはメンテナンスも難しくなってしまう。
【０００５】
そこで、本発明は、筐体内の狭いスペースでも熱源ユニット及びタンクユニットを配置することができると共に、良好なメンテナンス性も確保できる食器洗浄機用ブースターを提供することを目的としたものである。
【課題を解決するための手段】
【０００６】
上記目的を達成するために、請求項１に記載の発明は、食器洗浄機で使用される本体側装置が収容される筐体内に配置され、バーナ及び熱交換器を備えた熱源ユニットと、熱源ユニットで加熱される湯水を貯留可能なタンクユニットと、循環ポンプを備えて熱源ユニットとタンクユニットとの間で湯水を循環させる循環路と、を含んでなる食器洗浄機用ブースターであって、
熱源ユニットは、筐体内の前側で左右何れか一方側寄りに配置され、タンクユニットは、平面視で一方の厚みが他方の厚みよりも小さい扁平な箱状に形成されて、熱源ユニットの後側で筐体の一方側の側面に長手方向が沿う起立状態で配置されていることを特徴とする。
請求項２に記載の発明は、請求項１の構成において、タンクユニットの後部には、筐体内での設置位置で筐体内に設けた被係止部に係止する係止板が設けられていることを特徴とする。
【発明の効果】
【０００７】
請求項１に記載の発明によれば、熱源ユニットを筐体の前側で一方側寄りに配置し、扁平な箱状としたタンクユニットを熱源ユニットの後側且つ一方側で起立状態で配置しているので、筐体内の狭いスペースでも熱源ユニット及びタンクユニットを本体側装置と干渉することなく配置することができる。また、熱源ユニットは筐体内の前側に設置されているので、アクセスが容易となり、良好なメンテナンス性も確保することができる。
請求項２に記載の発明によれば、請求項１の効果に加えて、タンクユニットの後部に、筐体内の被係止部に係止する係止板を設けたことで、タンクユニットの出し入れを容易に行うことができる。
【図面の簡単な説明】
【０００８】
【図１】食器洗浄機用ブースターの正面図である。
【図２】食器洗浄機用ブースターの右からの側面図である。
【図３】食器洗浄機用ブースターの内部の斜視図である。
【図４】排気部を省略した食器洗浄機用ブースターの平面図である。
【図５】タンクユニットの説明図で、（Ａ）は正面、（Ｂ）は右側面、（Ｃ）は左側面、（Ｄ）は平面をそれぞれ示す。
【図６】タンクユニットの斜視図である。
【図７】図５の正面側の分割ケースを省略したタンクユニットの正面図である。
【図８】変更例のタンクユニットの説明図で、（Ａ）は正面、（Ｂ）は右側面、（Ｃ）は平面をそれぞれ示す。
【図９】変更例のタンクユニットの斜視図である。
【図１０】変更例のタンクユニットの中央縦断面図である。
【発明を実施するための形態】
【０００９】
以下、本発明の実施の形態を図面に基づいて説明する。
図１は、食器洗浄機用ブースター（以下単に「ブースター」と略称する。）の一例を示す正面図、図２は右からの側面図、図３は内部の斜視図、図４は排気部を省略した状態の平面図である。
このブースター１は、食器洗浄機の筐体２内下部に設置されるもので、瞬間加熱式の熱源ユニット３と、湯水を貯留するタンクユニット４と、熱源ユニット３とタンクユニット４との間で湯水を循環させる循環路５とを備えている。なお、この筐体２内には、上部に設けた図示しない洗浄室で用いる洗浄水を貯留して供給するための本体側装置として、食洗機側タンク６と、その前側の食洗機側ポンプ７とが設けられている。筐体２の前後左右はそれぞれ図示しない壁板によって覆われている。
【００１０】
熱源ユニット３は、下方から順に、燃焼部１０と、熱交換部１１と、排気部１２とを備えている。
まず燃焼部１０は、加熱手段としての複数のバーナを収容して内部に燃焼室を形成する下ケーシング１３を有する。下ケーシング１３の下側には、バーナの燃焼用空気を供給するファン１４と、外部のガス管と接続され、図示しない電磁弁等を備えてバーナに燃料ガスを供給するガス供給部１５が設けられている。燃焼部１０と熱交換部１１とは、前方を開口させた平面視倒コ字状のカバー１６により、左右及び後方から覆われている。
【００１１】
熱交換部１１は、上下に開口して下端が下ケーシング１３に接続される四角筒状の中ケーシング１７を有し、中ケーシング１７内に、図４に示すように、左右方向に所定間隔をおいて並設される複数のフィン１９，１９・・（図４では一部のみ図示）と、フィン１９，１９・・を蛇行状に貫通する伝熱管２０とからなる熱交換器１８を収容している。
排気部１２は、熱交換部１１の中ケーシング１７上に載置される上ケーシング２１と、上ケーシング２１に組み付けられる排気管２２と、上ケーシング２１の上側を覆って中ケーシング１７に係止させることで上ケーシング２１を固定する固定フード２３とを備えている。上ケーシング２１内には、前方から組み付けられて上ケーシング２１内へ突出するＣＯセンサ２４が設けられている。排気管２２は、上ケーシング２１と接続されて右方向に延びる角筒状の第１配管２５と、タンクユニット４の上側で筐体２の右壁に沿って後方に延び、前側の端部左側面に第１配管２５の先端が差込接続される第２配管２６とからなる。第２配管２６は、前端を閉塞して後端を開口させた角筒状で、図２に示すように後端を筐体２の外部に突出させている。
【００１２】
タンクユニット４は、平面視で左右の厚みが前後の厚みよりも小さい扁平な箱状体で、合成樹脂で形成された左右の分割ケース４ａ，４ｂ（但し、分割ケース４ａの方が分割ケース４ｂよりも深くなっている。）を組み付けることで形成されている。図５，６にも示すように、タンクユニット４は、単独での正面視は略横長矩形状で、その前部上側には、上方へ突出する凸部３０が、前部下側には、上方へ引っ込む凹部３１がそれぞれ形成されている。凸部３０の左側面には、給水管接続口３２が設けられ、凹部３１の前面には、出湯管接続口３３が設けられている。また、凹部３１の上面で前寄りには、オーバーフロー管３４が下向きに設けられ、その後方上側の左側面には、往き管接続口３５が設けられている。さらに、タンクユニット４の後部下側の左側面には、戻り管接続口３６が設けられている。
【００１３】
加えて、タンクユニット４の後面には、複数の爪３８，３８・・が左右へ互い違いに折曲形成された係止板３７が後ろ向きに固定される一方、タンクユニット４の凸部３０には、前方へ突出する取付金具３９が固定されている。また、凸部３０の後方でタンクユニット４の上面には、後述するフロートスイッチ４１の取付部４０が設けられている。
【００１４】
一方、タンクユニット４の内部には、図７に示すように、取付部４０から下向きにフロートスイッチ４１が設けられて、タンクユニット４内で設定した水位Ｌを検出可能となっている。
また、タンクユニット４の内部前方には、オーバーフロー管３４と連通する上方空間を後方空間と仕切るオーバーフロー板４２が、タンクユニット４の下側内面から、水位Ｌを越えた高さまで上向きに設けられている。よって、水位Ｌを越えた湯水は、オーバーフロー板４２の上端の水位Ｌ１を越えると、オーバーフロー板４２の前側空間へ流れてオーバーフロー管３４から外部へ排出されることになる。
さらに、前後方向でオーバーフロー板４２と給水管接続口３２との間には、タンクユニット４の上側内面からオーバーフロー板４２よりやや高い位置まで垂下して凸部３０内を前後に仕切る上板４３が設けられている。
【００１５】
そして、給水管接続口３２の後方には、凸部３０の後側内面から前方へ行くに従って下向きに傾斜した後、オーバーフロー板４２の後方で下向きに延びる上側仕切板４４が設けられている。また、上側仕切板４４の下方には、往き管接続口３５の後方から前方へ行くに従って上向きに傾斜する傾斜仕切板４５が設けられている。この上側仕切板４４と傾斜仕切板４５とにより、タンクユニット４内を、給水管接続口３２及び往き管接続口３５を含む前側の通路領域Ａと、フロートスイッチ４１を有して出湯管接続口３３及び戻り管接続口３６を含む後側の貯留領域Ｂとに区画する仕切板４６を形成している。
但し、傾斜仕切板４５の両端は、タンクユニット４の下側内面及び上側仕切板４４の下端とは繋がっておらず、タンクユニット４の下側内面との間に、通路領域Ａと貯留領域Ｂとを下側で連通させる連通部としての下連通部４７を、上側仕切板４４の下端との間に、通路領域Ａと貯留領域Ｂとを上側で連通させる同じく連通部としての上連通部４８をそれぞれ形成している。
【００１６】
さらに、貯留領域Ｂの下部には、出湯管接続口３３の上側でタンクユニット４の内面から後方へ突出する横板４９が設けられ、横板４９の上下には、貯留領域Ｂ内の湯水の温度を検出するタンクサーミスタ５０，５０がそれぞれ設けられている。また、横板４９の後方で戻り管接続口３６との間には、タンクユニット４の下側内面との非接触位置から前方へ行くに従って上向きに傾斜する後傾斜板５１が設けられている。
なお、図７では左側の分割ケース４ａのみを示しているが、右側の分割ケース４ｂでも同じオーバーフロー板４２や上板４３、上側仕切板４４や傾斜仕切板４５等が設けられて、左右からの突き合わせによって通路領域Ａや貯留領域Ｂ等が形成されるようになっている。これらの板は分割ケース４ａ，４ｂと一体に形成される。
【００１７】
循環路５は、図３に示すように、熱交換器１８の伝熱管２０の上流端とタンクユニット４の往き管接続口３５との間に接続される往き管５５と、伝熱管２０の下流端とタンクユニット４の戻り管接続口３６との間に接続される戻り管５６と、往き管５５に設けられた循環ポンプ５７とを備えている。
また、タンクユニット４の給水管接続口３２には、筐体２の下面から外部の水道管に接続される給水管５８が接続され、給水管５８には、水電磁弁５９が設けられて、水電磁弁５９の開閉動作によってタンクユニット４内に水を供給可能としている。
さらに、タンクユニット４の出湯管接続口３３には、出湯管６０が接続されている。この出湯管６０は、食器洗浄機の洗浄室に、図示しない濯ぎ用ポンプを介して接続されている。
【００１８】
これらの各配管において、往き管５５を形成する複数の管同士の接続や循環ポンプ５７との接続、給水管５８と水電磁弁５９との接続には、突き合わせた管端部同士のフランジに同時に係合して管端部同士を接続するクイックファスナ６１，６１・・が使用されている。特に、タンクユニット４に接続されて往き管５５の一部となる配管は、端部が前方を向いた姿勢となっており、熱源ユニット３に接続されて往き管５５の他の一部となる配管とはクイックファスナ６１によって接続されるようになっている。また、タンクユニット４に接続されて戻り管５６の一部となる配管の端部５６ａ（図３）は、熱源ユニット３に接続されて戻り管５６の他の一部となる配管の端部５６ｂ（図１）に後方から差込接続されるようになっている。
よって、クイックファスナ６１を取り外して熱源ユニット３を前方へずらせば、配管の端部同士が簡単に離れるため、熱源ユニット３を容易に筐体２から引き出すことができる。逆に熱源ユニット３を戻す場合も前方から所定位置に押し込めば、対応する配管の端部同士が突き合わせられるため、接続が簡単に行える。
【００１９】
さらに、筐体２内には、図示しないコントローラが設けられている。このコントローラは、熱源ユニット３におけるバーナの燃焼を制御すると共に、循環路５に設けられた図示しないサーミスタやタンクサーミスタ５０からの検出温度及びフロートスイッチ４１の検出信号に基づいて循環ポンプ５７及び水電磁弁５９を制御する。これにより、タンクユニット４内に水位Ｌまでの水を供給するタンク水供給制御と、熱源ユニット３を作動させてタンクユニット４内の湯水を設定温度（例えば８０℃）に維持する保温制御とが実行可能となっている。
【００２０】
以上の如く構成されたブースター１において、熱源ユニット３は、筐体２内で食洗機側タンク６の前方右寄りで、筐体２の前壁に沿って配置される。この設置位置でカバー１６の左右の前端にそれぞれ形成した折り返し部２７，２７が、筐体２の前壁に当接することで、カバー１６と前壁とで熱源ユニット３が囲まれるようになっている。
また、タンクユニット４は、筐体２内で食洗機側タンク６の右側で筐体２の右壁に沿って前後方向へ延びるように配置されている。ここでは、タンクユニット４を後方へ押し込むと、後側の係止板３７が、筐体２内の右奥のコーナーに設けた被係止部としての上下方向の支持バー８０に係止して位置決めされ、この位置で前側の取付金具３９を、熱源ユニット３の右側で筐体２内の右手前のコーナーに設けた上下方向の支持バー８１に固定すれば、起立状態で固定されるようになっている。
こうして熱源ユニット３とタンクユニット４とは、筐体２内で、食洗機側タンク６及び食洗機側ポンプ７と干渉しない平面視Ｌ字状に配置される。
【００２１】
そして、食器洗浄機で洗浄が開始されると、コントローラは、循環ポンプ５７をＯＮさせて、熱源ユニット３の熱交換器１８とタンクユニット４との間で循環路５を介して湯水の循環をさせる。同時にタンクサーミスタ５０によってタンクユニット４内の検出温度を監視し、検出温度が８０℃未満であれば、熱源ユニット３の燃焼部１０でバーナを燃焼させ、熱交換部１１で熱交換器１８を流れる湯水とバーナの燃焼排気とを熱交換させてタンクユニット４内の湯水が８０℃となるまで加熱する。なお、タンクサーミスタ５０，５０は、横板４９を挟んで上下に設けられているので、下側のタンクサーミスタ５０では出湯管接続口３３から食器洗浄機へ直接供給される湯温が検出でき、上側のタンクサーミスタ５０では貯留領域Ｂ内の平均的な湯温が検出できる。検出温度としては何れか一方を監視してもよいし、両検出温度の平均値を監視する等してもよい。
バーナの燃焼排気は、熱交換部１１の中ケーシング１７を通過した後、排気部１２の上ケーシング２１内に進入し、排気管２２の第１配管２５、第２配管２６を通って筐体２の外部へ排出される。
【００２２】
一方、保温制御の途中や保温制御の後に食器洗浄機側で濯ぎが行われ、濯ぎ用ポンプの作動によってタンクユニット４内の湯が洗浄室へ供給されると、フロートスイッチ４１によってタンクユニット４内の水位低下（例えば図７に示す水位Ｌ２）が検出される。すると、コントローラは水電磁弁５９を開弁させて、フロートスイッチ４１によって水位Ｌが検出されるまでタンクユニット４内に給水管５８から水を供給させることになる。
このとき、給水管接続口３２から供給される水は、上側仕切板４４と傾斜仕切板４５との前方の通路領域Ａに供給されるため、貯留領域Ｂに貯留している湯と直ちに混ざり合うことがなく、貯留領域Ｂの湯温の低下は抑制される。そして、保温制御が実行されると、往き管接続口３５から通路領域Ａの比較的低温の湯が熱源ユニット３に送られて、熱交換部１１で加熱されることになる。よって、熱交換部１１の熱交換器１８ではバーナからの熱量を効率よく付与でき、過剰加熱による沸騰も生じにくくなる。
【００２３】
熱交換部１１で加熱された湯は、通路領域Ａから離れた貯留領域Ｂの後方下部の戻り管接続口３６から流入するため、通路領域Ａの水と混ざりにくくなって湯温の低下は抑えられる。よって、貯留領域Ｂで効率よく保温される。特に、戻り管接続口３６の前側には、後傾斜板５１が設けられているので、流入した高温の湯が直接出湯管接続口３３へ流れにくくなり、貯留領域Ｂの湯温の均一化が図られる。
【００２４】
そして、熱源ユニット３にメンテナンスの必要が生じた場合は、筐体２の前壁を取り外せば、図１に示すように、燃焼部１０と熱交換部１１と排気部１２とが前面に露出するため、容易に必要な箇所にアクセスできる。特に排気部１２では、ＣＯセンサ２４も前面に露出しているので、交換や清掃が容易に行える。
また、熱源ユニット３を筐体２から取り外す必要が生じた場合は、前述のように往き管５５及び戻り管５６を中間部位で接続するクイックファスナ６１をそれぞれ取り外せば、熱源ユニット３を簡単に前方へ引き出すことができる。タンクユニット４も、そのまま前方へ引き出せば、係止板３７が支持バー８０から自動的に外れるため、簡単に取り出し可能となる。
【００２５】
［タンクユニットの仕切板に係る発明の効果］
このように、上記形態のブースター１によれば、給水管接続口３２を、タンクユニット４の上部で前方側寄りに、往き管接続口３５を、タンクユニット４の下部で前方側寄りに、戻り管接続口３６を、タンクユニット４の下部で後方側寄りにそれぞれ設けて、タンクユニット４内には、タンクユニット４の内部を給水管接続口３２及び往き管接続口３５を含む前方側の通路領域Ａと、戻り管接続口３６を含む後方側の貯留領域Ｂとに区画する仕切板４６を設け、仕切板４６に、通路領域Ａと貯留領域Ｂとを部分的に連通させる下連通部４７及び上連通部４８を設けて、出湯管接続口３３を貯留領域Ｂに設けているので、仕切板４６によって給水側の通路領域Ａと保温及び出湯側の貯留領域Ｂとに区別して使用できる。よって、タンクユニット４の貯留領域Ｂで湯水を８０℃の高温で保温しつつ、通路領域Ａから比較的低温の湯水を熱源ユニット３へ供給して加熱させることができる。よって、熱源ユニット３での加熱効率を向上させることができると共に、過剰加熱による沸騰のおそれも低減することができる。
【００２６】
特にここでは、仕切板４６を、タンクユニット４の上側内面から通路領域Ａを下方へ行くに従って狭くするように傾斜した後、下向きに垂下する上側仕切板４４と、タンクユニット４の下側内面との非接触位置から通路領域Ａを上方へ行くに従って狭くするように傾斜し、上端が上側仕切板４４の下端と非接触となる傾斜仕切板４５とを含んでなる構成としているので、両領域間での湯水の行き来を確保して、タンクユニット４内での水位の検出に影響を与えない仕切が可能となる。
【００２７】
［タンクユニットの変更例］
上記形態では、タンクユニットを樹脂製としているが、金属製であっても差し支えない。図８〜１０はその一例を示すものであるが、先の形態のタンクユニット４と同じ構成部には同じ符号を付して重複する説明は省略する。
図８〜１０に示すタンクユニット４Ａは、上下左右及び前後を金属板で囲まれて左右に薄い扁平な箱状体で、単独での正面視は略矩形状で、前側が上方へ部分的に突出する形状となっている。タンクユニット４Ａの内部には、前側上部の前面から前方へ突出する給水管接続口３２と、その下方で側面に開口する往き管接続口３５とが設けられている。これらの接続口の後方には、内部を前側の通路領域Ａと後側の貯留領域Ｂとに仕切る金属製の仕切板６５が、タンクユニット４Ａの上側内面から下向きに垂下されている。仕切板６５の下端は、タンクユニットの下側内面と非接触となって、往き管接続口３５の後方で通路領域Ａと貯留領域Ｂとを連通させる連通部６６を形成している。
【００２８】
また、仕切板６５の中間部よりやや上方部位には、後方へ突出する側面視コ字状の折曲部６７が形成されており、その折曲部６７に、仕切板６５の後方で下端がタンクユニット４Ａの下面から突出するオーバーフロー管６８が貫通して支持されている。このオーバーフロー管６８の上端は、その後方のフロートスイッチ４１で検出される水位Ｌよりも高くなっている。
さらに、貯留領域Ｂでは、オーバーフロー管６８の後方でタンクユニット４Ａの下部に、出湯管接続口３３が設けられ、その上方にタンクサーミスタ５０が設けられており、戻り管接続口３６は、仕切板６５とオーバーフロー管６８との間で連通部６６より上側に設けられている。
一方、タンクユニット４Ａの上端後部には、支持バー８０に係止する係止板６９が後向きに固定され、下端前後には、起立姿勢を維持するためのベース板７０，７０が互いに外向きに固定されている。
【００２９】
このタンクユニット４Ａにおいても、給水管接続口３２から供給される水は、仕切板６５の前方の通路領域Ａに供給されるため、貯留領域Ｂに貯留している湯と直ちに混ざり合うことがなく、貯留領域Ｂの湯温の低下は抑制される。そして、保温制御が実行されると、往き管接続口３５から通路領域Ａの比較的低温の湯が熱源ユニット３に送られて、熱交換部１１で加熱されることになる。熱交換部１１で加熱された湯も、戻り管接続口３６から貯留領域Ｂに流入するため、湯温の低下は抑えられて効率よく保温制御がなされる。
【００３０】
［その他の変更例］
タンクユニットの構造は上記形態や変更例に限らず、適宜変更可能で、例えば左右でなく上下に分割される分割ケースを組み合わせて形成したり、筐体内の設置スペースによってはタンクユニットを平面視直線状でなくＬ字状や曲線状に形成したりしても差し支えない。扁平状でなくてもよい。
また、内部の仕切板も、例えば図７の形態では上側仕切板と傾斜仕切板とを繋げて上連通部をなくしたり、下連通部の間隔を広くしたり、仕切板を直線状や曲線状に形成したり等することができる。横板や後傾斜板をなくしたりタンクサーミスタを１つにしたりすることもできる。各接続口の位置や形状も、例えば各接続口の前後や左右の配置を逆にする等、適宜変更可能である。
【００３１】
さらに、上記形態では、熱源ユニットを筐体内の右側に配置してタンクユニットもその後方で右側に配置しているが、これと逆に、熱源ユニットを筐体内の左側に配置してタンクユニットもその後方で左側に配置してもよい。また、熱源ユニットとタンクユニットとを前後でなく左右に配置しても差し支えない。加熱手段としてはバーナ以外も採用できる。
そして、上記形態では筐体内に食洗機側タンク及び食洗機側ポンプ等の本体側装置を収容した構造となっているが、これらの本体側装置がなく、専用の筐体内に熱源ユニット及びタンクユニット、循環路が収容されるブースターであっても、仕切板に係る発明は適用可能である。
【００３２】
［熱源ユニット及びタンクユニットの配置に係る発明の効果］
このように、上記形態のブースター１によれば、熱源ユニット３は、筐体２内の前側で右側寄りに配置され、タンクユニット４は、平面視で一方の厚みが他方の厚みよりも小さい扁平な箱状に形成されて、熱源ユニット３の後側で筐体２の右側の側面に長手方向が沿う起立状態で配置されているので、筐体２内の狭いスペースでも熱源ユニット３及びタンクユニット４を食洗機側タンク６や食洗機側ポンプ７と干渉することなく配置することができる。また、熱源ユニット３は筐体２内の正面側に設置されているので、アクセスが容易となり、良好なメンテナンス性も確保することができる。
特にここでは、タンクユニット４の後部には、筐体２内での設置位置で筐体２内に設けた支持バー８０に係止する係止板３７が設けられているので、タンクユニット４の出し入れを容易に行うことができる。
【００３３】
［その他の変更例］
熱源ユニットとタンクユニットとの配置に係る発明においても、タンクユニットの構造は上記形態や変更例に限らず、適宜変更可能である。
また、上記形態では、熱源ユニットを筐体内の右側に配置してタンクユニットもその後方で右側に配置しているが、これと逆に、熱源ユニットを筐体内の左側に配置してタンクユニットもその後方で左側に配置してもよい。
【符号の説明】
【００３４】
１・・食器洗浄機用ブースター、２・・筐体、３・・熱源ユニット、４，４Ａ・・タンクユニット、５・・循環路、６・・食洗機側タンク、７・・食洗機側ポンプ、１０・・燃焼部、１１・・熱交換部、１２・・排気部、１３・・下ケーシング、１６・・カバー、１８・・中ケーシング、１８・・熱交換器、２１・・上ケーシング、３０・・凸部、３１・・凹部、３２・・給水管接続口、３３・・出湯管接続口、３４，６８・・オーバーフロー管、３５・・往き管接続口、３６・・戻り管接続口、４１・・フロートスイッチ、４４・・上側仕切板、４５・・傾斜仕切板、４６，６５・・仕切板、４７・・下連通部、４８・・上連通部、５０・・タンクサーミスタ、５５・・往き管、５６・・戻り管、５７・・循環ポンプ、５８・・給水管、６０・・出湯管、６１・・クイックファスナ、６６・・連通部、Ａ・・通路領域、Ｂ・・貯留領域。
【図１】
2019141254.tif 000003
【図２】
2019141254.tif 000004
【図３】
2019141254.tif 000005
【図４】
2019141254.tif 000006
【図５】
2019141254.tif 000007
【図６】
2019141254.tif 000008
【図７】
2019141254.tif 000009
【図８】
2019141254.tif 000010
【図９】
2019141254.tif 000011
【図１０】
2019141254.tif 000012